【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
可視像を担持する像担持体が含まれる作像エンジンと、像担持体の表面側に記録材を介して圧接し、像担持体上の可視像を記録材に一括転写する転写部材とを備えた画像形成装置において、
画像形成装置本体に対して回動自在に支持された回動支持ユニットと、前記転写部材及びこの転写部材を清掃する清掃部材を一つのユニットケースに組み込んだ転写ユニットとを備え、
転写部材が像担持体に対して接離可能なように前記回動支持ユニットに対して転写ユニットをユニットケースごと移動自在に保持したことを特徴とする画像形成装置。
【請求項２】
請求項１記載の画像形成装置において、
転写ユニットを保持するユニット保持機構は、回動支持ユニットにユニットケースを回動支持し、このユニットケースの回転中心から離間した部位を昇降部材にて昇降させ、ユニットケースの回転中心を中心として前記ユニットケースを揺動させ、転写部材を像担持体に対して接離可能とするものであることを特徴とする画像形成装置。
【請求項３】
請求項１記載の画像形成装置において、
転写ユニットは、ユニットケース内に清掃残留物収容部を具備し、ユニットケースには清掃部材配設部と清掃残留物収容部とが仕切られる仕切部を設けたことを特徴とする画像形成装置。
【請求項４】
請求項１記載の画像形成装置において、
転写ユニットの転写部材は、像担持体に接触配置するセット過程で位置決め部材に接触転動しながら位置決めされ、
転写ユニットの清掃部材は、位置決め部材に接触転動する転写部材の回転方向に対し回転負荷が少ない方向に配置されることを特徴とする画像形成装置。
【請求項５】
請求項１記載の画像形成装置のうち、像担持体が清掃せしめられる清掃部材を具備した態様において、
転写ユニットの転写部材は、像担持体に接触配置するセット過程で位置決め部材に接触転動しながら位置決めされ、
転写ユニットの清掃部材は、位置決め部材に接触転動する転写部材の回転方向に対し回転負荷が少ない方向に配置され、
更に、像担持体の清掃部材は、位置決め部材に接触転動する転写部材との接触に伴って回転する像担持体の回転方向に対し回転負荷が少ない方向に配置されることを特徴とする画像形成装置。
【請求項６】
可視像を担持する像担持体が含まれる作像エンジンと、像担持体の表面側に記録材を介して圧接し、像担持体上の可視像を記録材に一括転写する転写部材とを備えた画像形成装置において、
画像形成装置本体に対して回動自在に支持された回動支持ユニットと、
前記転写部材を一つのユニットケースに組み込み且つ転写部材が像担持体に対して接離可能なように回動支持ユニットに対してユニットケースごと移動自在に保持した転写ユニットとを備え、
転写ユニットを保持するユニット保持機構は、回動支持ユニットにユニットケースを回動支持し、転写ユニットのセット過程でユニットケースの回動支点から離れた部位にセット力を与えるもので、ユニットケースの回動支点からの反力を回動支持ユニットの回動支点方向へ設定し、かつ、セット力の作用反力による回動支持ユニットの回動支点周りのモーメントを回動支持ユニットを画像形成装置本体側へ回転させる向きに設定したものであることを特徴とする画像形成装置。
【請求項７】
可視像を担持する像担持体が含まれる作像エンジンと、像担持体の表面側に記録材を介して圧接し、像担持体上の可視像を記録材に一括転写する転写部材とを備えた画像形成装置において、
画像形成装置本体に対して回動自在に支持された回動支持ユニットと、
前記転写部材を一つのユニットケースに組み込み且つ転写部材が像担持体に対して接離可能なように回動支持ユニットに対してユニットケースごと移動自在に保持した転写ユニットとを備え、
転写ユニットを保持するユニット保持機構は、回動支持ユニットにユニットケースを回動支持し、転写ユニットのセット過程でユニットケースの回動支点から離れた部位にセット力を与えるもので、ユニットケースの回動支点からの反力による回動支持ユニットの回動支点周りのモーメントと、セット力の作用反力による回動支持ユニットの回動支点周りのモーメントとの合計が回動支持ユニットを画像形成装置本体側へ回動させる向きであるか、あるいは、略０であることを特徴とする画像形成装置。
【請求項８】
可視像を担持する像担持体が含まれる作像エンジンと、像担持体の表面側に記録材を介して圧接し、像担持体上の可視像を記録材に一括転写する転写部材とを備えた画像形成装置において、
画像形成装置本体に対して回動自在に支持された回動支持ユニットと、
前記転写部材を一つのユニットケースに組み込み且つ転写部材が像担持体に対して接離可能なように回動支持ユニットに対してユニットケースごと移動自在に保持した転写ユニットとを備え、
転写ユニットがセット位置に配置されている状態で作像エンジンのメンテナンスパーツが交換可能となるように作像エンジンのメンテナンスパーツを移動可能に配設したことを特徴とする画像形成装置。
【手続補正２】
【補正対象書類名】明細書
【補正対象項目名】０００１
【補正方法】変更
【補正の内容】
【０００１】
【発明の属する技術分野】
本発明は、複写機、プリンタなどの画像形成装置に係り、特に、画像形成装置本体に回動支持される回動支持ユニットに転写ユニットを配設する態様の画像形成装置の改良に関する。
【手続補正３】
【補正対象書類名】明細書
【補正対象項目名】０００２
【補正方法】変更
【補正の内容】
【０００２】
【従来の技術】
従来における画像形成装置として、例えば中間転写型の画像形成装置を例に挙げて説明すると、感光体ドラムなどの潜像担持体上に所定の色成分画像（電子写真方式であればトナー像）を形成し、潜像担持体上の色成分画像を中間転写ベルトなどの中間転写体に一次転写した後、二次転写用の転写ユニットにて中間転写体上の色成分画像を記録材に一括（二次）転写するようにしたものが既に提供されている。
この種の転写ユニットとしては、例えばユニットケースに転写ロールを回動自在に支承し、このユニットケースを扉ユニット（画像形成装置本体に開閉自在に設けられる）に支持するようにしたものが知られている。
また、転写ロールには、未転写トナー等が付着する懸念があるため、転写ユニットとしては、転写ロールを清掃するために清掃部材が設けられる態様も既に知られている。
【手続補正４】
【補正対象書類名】明細書
【補正対象項目名】０００３
【補正方法】変更
【補正の内容】
【０００３】
ところで、画像形成装置本体の扉ユニットの如き部材は、軽量化の観点から低剛性の位置精度の悪いモジュールであることが多く、転写ユニットは前記モジュールに対して位置決めするのではなく、転写ロールは、通常、中間転写体のバックアップロール（対向ロール）に所定のニップ域で接触した状態を画像形成用の動作位置であるセット位置とし、位置決めされるようになっている。
また、画像形成装置の作像工程が４サイクルである態様や、転写ロールの材質によっては長期の接触状態が転写ロールの変形につながる懸念がある場合には、記録材に転写するサイクル以外のサイクルや、電源をオフにした場合に、前記転写ロールをセット位置から離間したリトラクト位置に待機させるという手法が採られることが多い。
【手続補正５】
【補正対象書類名】明細書
【補正対象項目名】０００５
【補正方法】変更
【補正の内容】
【０００５】
【発明が解決しようとする課題】
しかしながら、扉ユニットのような回動支持ユニットに転写ユニットを配設した態様にあっては、以下に示すような技術的課題が見出された。
従来における転写ユニットの取付構造は、例えば図２３（ａ）（ｂ）に示すように、回動支点８０１を有する扉ユニット８００に転写ユニット８１０を配設し、かつ、転写ユニット８１０としては、扉ユニット８００に固定されたユニットケース８１１の開口部に転写ロール８１２を配設すると共に、ユニットケース８１１内には転写ロール８１２に接触する清掃ブラシ８１３を配設し、更に、前記転写ロール８１２をリトラクト機構８２０（例えば偏心カム８２１にて揺動する揺動アーム８２２で転写ロール８１２を支持し、前記揺動アーム８２２を付勢スプリング８２３で所定方向に付勢する機構）にてリトラクト可能に支持するようにしたものである。尚、図２３（ａ）（ｂ）中、符号８３０は中間転写ベルト８３１を有するベルトユニットであり、前記転写ロール８１２に対向する中間転写ベルト８３１背面には張架ロール兼用のバックアップロール８３２を備えている。
【手続補正６】
【補正対象書類名】明細書
【補正対象項目名】０００６
【補正方法】変更
【補正の内容】
【０００６】
この種の態様にあっては、転写ロール８１２のリトラクト動作を可能にするには、転写ロール８１２が揺動アーム８２２によって揺動支持されるため、必然的に、転写ロール８１２の揺動軌跡を考慮してユニットケース８１１の開口部面積を広く確保することが必要不可欠である。
このため、ユニットケース８１１の開口部と転写ロール８１２との間には比較的広い隙間が形成されてしまい、例えば図２３（ａ）に示すように、転写ロール８１２をセット位置とリトラクト位置との間で移動させるような条件下では、前記ユニットケース８１１の隙間からトナークラウド８４０が吹き出してしまう懸念がある。
更に、図２３（ｂ）に示すように、ジャム処理やメンテナンス時には扉ユニット８００を開放して作業することになるが、扉ユニット８００を開閉する際にも、転写ユニット８１０のユニットケース８１１の隙間からトナークラウド８４０が吹き出してしまう懸念がある。
【手続補正７】
【補正対象書類名】明細書
【補正対象項目名】００１０
【補正方法】変更
【補正の内容】
【００１０】
【課題を解決するための手段】
すなわち、本発明の第一の態様は、トナークラウドなどの清掃残留物の吹出しを改善したものであり、図１（ａ）に示すように、可視像を担持する像担持体２が含まれる作像エンジン１と、像担持体２の表面側に記録材を介して圧接し、像担持体２上の可視像を記録材に一括転写する転写部材３ａとを備えた画像形成装置において、画像形成装置本体（以下【課題を解決するための手段】の欄では装置本体という）４に対して回動自在に支持された回動支持ユニット５と、前記転写部材３ａ及びこの転写部材３ａを清掃する清掃部材３ｂを一つのユニットケース３ｃに組み込んだ転写ユニット３とを備え、転写部材３ａが像担持体２に対して接離可能なように前記回動支持ユニット５に対して転写ユニット３をユニットケース３ｃごと移動自在に保持したことを特徴とするものである。
【手続補正８】
【補正対象書類名】明細書
【補正対象項目名】００１２
【補正方法】変更
【補正の内容】
【００１２】
このような技術的手段において、本態様は、転写ユニット３内に転写部材３ａ及び清掃部材３ｂを収容した態様を前提とする。
ここで、転写部材３ａにはロール、ベルトなど接触転写可能な部材であれば適宜選定して差し支えなく、清掃部材３ｂにはブラシ、ブレードなど各種態様を含む。
また、転写ユニット３を保持するユニット保持機構６はユニットケース３ｃごと移動自在に保持するものであればよく、回動支持する態様に限定されない。
ここで、ユニット保持機構６の代表的態様としては、回動支持ユニット５にユニットケース３ｃを回動支持し、このユニットケース３ｃの回転中心から離間した部位を昇降部材にて昇降させ、ユニットケース３ｃの回転中心を中心として前記ユニットケース３ｃを揺動させ、転写部材３ａを像担持体２に対して接離可能とするものが挙げられる。
尚、作像エンジン１には各種態様のものが含まれ、像担持体２は可視像を担持するものであればよく、ベルト状、ドラム状などの形態に制限はなく、また、構成部材数についても単一、複数を問わない。
【手続補正９】
【補正対象書類名】明細書
【補正対象項目名】００１５
【補正方法】変更
【補正の内容】
【００１５】
特に、像担持体２が清掃せしめられる清掃部材を具備した態様においては、転写ユニット３の転写部材３ａは、像担持体２に接触配置するセット過程で位置決め部材７に接触転動しながら位置決めされ、転写ユニット３の清掃部材３ｂは、位置決め部材７に接触転動する転写部材３ａの回転方向に対し回転負荷が少ない方向に配置され、更に、像担持体２の清掃部材（図示せず）は、位置決め部材７に接触転動する転写部材３ａとの接触に伴って回転する像担持体２の回転方向に対し回転負荷が少ない方向に配置されることが好ましい。
この場合、像担持体２の清掃部材を備えた態様において、転写ユニット３のセット時における転写部材３ａの負荷変動を抑え、負荷変動による転写部材３ａの位置再現性を改善することができる。
【手続補正１０】
【補正対象書類名】明細書
【補正対象項目名】００１６
【補正方法】変更
【補正の内容】
【００１６】
また、本発明の第二の態様は転写条件の変化を改善するものであり、図１（ｂ）に示すように、可視像を担持する像担持体２が含まれる作像エンジン１と、像担持体２の表面側に記録材を介して圧接し、像担持体２上の可視像を記録材に一括転写する転写部材３ａとを備えた画像形成装置において、装置本体４に対して回動自在に支持された回動支持ユニット５と、前記転写部材３ａを一つのユニットケース３ｃに組み込み且つ転写部材３ａが像担持体２に対して接離可能なように回動支持ユニット５に対してユニットケース３ｃごと移動自在に保持した転写ユニット３とを備え、転写ユニット３を保持するユニット保持機構６が、回動支持ユニット５にユニットケース３ｃを回動支持し、転写ユニット３のセット過程でユニットケース３ｃの回動支点３ｄから離れた部位にセット力Ｆを与えるもので、ユニットケース３ｃの回動支点３ｄからの反力Ｒを回動支持ユニット５の回動支点５ｄ方向へ設定し、かつ、セット力Ｆの作用反力による回動支持ユニット５の回動支点５ｄ周りのモーメントＭを回動支持ユニット５を装置本体４側へ回転させる向きに設定したものであることを特徴とするものである。
尚、本態様の転写ユニット３は、ユニットケース３ｃに少なくとも転写部材３ａを備えていればよく、清掃部材３ｂを備えることは必須ではない。
【手続補正１１】
【補正対象書類名】明細書
【補正対象項目名】００１７
【補正方法】変更
【補正の内容】
【００１７】
本態様によれば、回動支持ユニット５に対する転写部材３ａのニップ力により発生するモーメントをキャンセルすることで、回動支持ユニット５の変形を抑え、転写部材３ａの位置精度を良好に保つことができる。
【手続補正１２】
【補正対象書類名】明細書
【補正対象項目名】００１８
【補正方法】変更
【補正の内容】
【００１８】
また、本発明の更に別の態様は、図１（ｂ）に示すように、可視像を担持する像担持体２が含まれる作像エンジン１と、像担持体２の表面側に記録材を介して圧接し、像担持体２上の可視像を記録材に一括転写する転写部材３ａとを備えた画像形成装置において、装置本体４に対して回動自在に支持された回動支持ユニット５と、前記転写部材３ａを一つのユニットケース３ｃに組み込み且つ転写部材３ａが像担持体２に対して接離可能なように回動支持ユニット５に対してユニットケース３ｃごと移動自在に保持した転写ユニット３とを備え、転写ユニット３を保持するユニット保持機構６が、回動支持ユニット５にユニットケース３ｃを回動支持し、転写ユニット３のセット過程でユニットケース３ｃの回動支点３ｄから離れた部位にセット力Ｆを与えるもので、ユニットケース３ｃの回動支点３ｄからの反力Ｒによる回動支持ユニット５の回動支点５ｄ’（図１（ｂ）中点線で示す）周りのモーメントと、セット力Ｆの作用反力による回動支持ユニット５の回動支点５ｄ’周りのモーメントとの合計Ｍ’が回動支持ユニット５を装置本体４側へ回動させる向きであるか、あるいは、略０であることを特徴とするものである。
【手続補正１３】
【補正対象書類名】明細書
【補正対象項目名】００１９
【補正方法】変更
【補正の内容】
【００１９】
この場合、ユニットケース３ｃの回動支点３ｄからの反力による回動支持ユニット５の回動支点５ｄ’周りのモーメントは、通常セット力Ｆの作用反力による回動支持ユニット５の回動支点５ｄ’周りのモーメントとは逆向きになるため、回動支持ユニット５へ作用するモーメントを低減できる上で好ましい。
このため、回動支持ユニット５の剛性を低減しても、回動支持ユニット５の変形を抑えることが可能になる。
特に、両者のモーメント合計を略０にすれば、回動支持ユニット５の変形が略完全に防止される点で好ましい。
【手続補正１４】
【補正対象書類名】明細書
【補正対象項目名】００２０
【補正方法】変更
【補正の内容】
【００２０】
更に、本発明の第三の態様はメンテナンス作業性の低下を改善するものであり、図１（ｃ）に示すように、可視像を担持する像担持体２が含まれる作像エンジン１と、像担持体２の表面側に記録材を介して圧接し、像担持体２上の可視像を記録材に一括転写する転写部材３ａとを備えた画像形成装置において、装置本体４に対して回動自在に支持された回動支持ユニット５と、前記転写部材３ａを一つのユニットケース３ｃに組み込み且つ転写部材３ａが像担持体２に対して接離可能なように回動支持ユニット５に対してユニットケース３ｃごと移動自在に保持した転写ユニット３とを備え、転写ユニット３がセット位置に配置されている状態で作像エンジン１のメンテナンスパーツ（例えば像担持体２）が交換可能となるように作像エンジン１のメンテナンスパーツを移動可能に配設したものである。
尚、本態様の転写ユニット３は、ユニットケース３ｃに少なくとも転写部材３ａを備えていればよく、清掃部材３ｂを備えることは必須ではない。
【手続補正１５】
【補正対象書類名】明細書
【補正対象項目名】００２２
【補正方法】変更
【補正の内容】
【００２２】
【発明の実施の形態】
以下、添付図面に示す実施の形態に基づいて本発明を詳細に説明する。
◎実施の形態１
図２は本発明が適用されたタンデム型画像形成装置の実施の形態１を示す説明図である。
同図において、タンデム型画像形成装置は、本体ハウジング（画像形成装置本体に相当）２１内に四つの色（本実施の形態ではブラック、イエロ、マゼンタ、シアン）の画像形成ユニット２２（具体的には２２ａ〜２２ｄ）を横方向に配列し、その上方には各画像形成ユニット２２の配列方向に沿って循環搬送される中間転写ベルト２３０が含まれるベルトユニット（ベルト搬送装置）２３を配設する一方、本体ハウジング２１の下方には用紙等の記録材（図示せず）が収容される記録材供給カセット（図示せず）を配設すると共に、この記録材供給カセットからの記録材の搬送路となる記録材搬送路を垂直方向に配置したものである。
【手続補正１６】
【補正対象書類名】明細書
【補正対象項目名】００２６
【補正方法】変更
【補正の内容】
【００２６】
更にまた、中間転写ベルト２３０の最上流画像形成ユニット２２ａの上流側にはベルトクリーナ５３が配設されており、中間転写ベルト２３０上の残留トナーを除去するようになっている。
また、図示外の記録材供給カセットには記録材をピックアップするフィードロール（図示せず）が設けられ、このフィードロールの直後には記録材を送出するテイクアウェイロールが配設されると共に、記録材搬送路には適宜数の搬送ロール６１が配設されると共に、二次転写部位の直前に位置する記録材搬送路には記録材を所定のタイミングで二次転写部位へ供給するレジストレーションロール（レジストロール）６２が配設されている。
一方、二次転写部位の下流側に位置する記録材搬送路には定着装置６６が設けられ、この定着装置６６の下流側には記録材排出用の排出ロール（図示せず）が設けられており、本体ハウジング２１の上部に形成された収容トレイ６８に記録材が収容されるようになっている。
【手続補正１７】
【補正対象書類名】明細書
【補正対象項目名】００３１
【補正方法】変更
【補正の内容】
【００３１】
次に、本実施の形態に係る画像形成装置の作像プロセスについて説明する。
各画像形成ユニット２２（２２ａ〜２２ｄ）は感光体ドラム３１上に各色成分画像（トナー像）を形成し、中間転写ベルト２３０上に各色成分画像を一次転写器５１にて順次一次転写する。
一方、図示外からの記録材供給カセットからは記録材が供給され、レジストロール６２を経て所定のタイミングで二次転写部位へと搬送される。
そして、中間転写ベルト２３０上に一次転写された多重転写画像は二次転写部位へと搬送され、二次転写ユニット５２にて記録材に一括転写される。
この後、記録材は定着装置６６を経て一括転写された画像を定着した後、図示外の排出ロールを通じて収容トレイ６８へと排出される。
尚、各画像形成ユニット２２では、感光体ドラム３１上の残留トナーがクリーナ３４にて清掃される一方、中間転写ベルト２３０上の残留トナーはベルトクリーナ５３にて清掃される。
【手続補正１８】
【補正対象書類名】明細書
【補正対象項目名】００３２
【補正方法】変更
【補正の内容】
【００３２】
このような作像過程において、二次転写ユニット５２は、二次転写動作を行う直前に二次転写ロール５２２をリトラクト位置（図５（ｂ）参照）からセット位置（図５（ａ）参照）に移動させ、二次転写動作が終了した時点、若しくは、電源オフの時点でセット位置からリトラクト位置へ退避する。
ここで、二次転写ロール５２２がセット位置に位置するときのリトラクト機構８０の動作状態を説明すると、リトラクト機構８０では、偏心カム８１のカム面が最も低位の状態（図５（ａ）参照）にある。
このとき、スライドレバー８２の下端折曲部８２ａは偏心カム８１のカム面と非接触状態にあり、スライドレバー８２は付勢スプリング８４にて下方に押し下げられる。
すると、ユニットケース５２１が回動支点５２４を中心として矢印方向に回動し、ユニットケース５２１内の二次転写ロール５２２がバックアップロール２３６側へと接近していき、位置決めプレート９０の位置決め溝９１に係合して位置決めされる。
【手続補正１９】
【補正対象書類名】明細書
【補正対象項目名】００３３
【補正方法】変更
【補正の内容】
【００３３】
一方、二次転写ロール５２２がリトラクト位置に位置するときのリトラクト機構８０の動作状態を説明すると、リトラクト機構８０では、偏心カム８１のカム面が最も高位の状態（図５（ｂ）参照）にある。
このとき、スライドレバー８２の下端折曲部８２ａは偏心カム８１によって押し上げられ、スライドレバー８２は付勢スプリング８４の付勢力に抗して上方へ押し上げられる。
すると、ユニットケース５２１が回動支点５２４を中心として回動し、ユニットケース５２１内の二次転写ロール５２２がバックアップロール２３６から離間する方向へ移動していき、セット位置から離間したリトラクト位置に達する。
【手続補正２０】
【補正対象書類名】明細書
【補正対象項目名】００４１
【補正方法】変更
【補正の内容】
【００４１】
更に、本実施の形態では、前記清掃ブラシ５２３のブラシ体５２３ａの向きについても工夫が施されている。
すなわち、本実施の形態では、図１０（ａ）に示すように、扉ユニット７０、二次転写ユニット５２及びベルトユニット２３が設けられており、二次転写ユニット５２内の清掃ブラシ５２３の駆動系は、図１０（ｂ）に示すように、二次転写ロール５２２の一端部に駆動伝達ギア１３１を設ける一方、清掃ブラシ５２３の回転軸の一端には前記駆動伝達ギア１３１に噛合する被駆動伝達ギア１３２を設けたもので、二次転写ロール５２２に追従して清掃ブラシ５２３を回転駆動するようになっている。
このような態様において、二次転写ロール５２２は、セット過程において位置決めプレート９０のＶ字状の位置決め溝９１のエッジ部に支持軸部を当接させ、このエッジ部で当該支持軸部を接触転動させながら位置決めされるが、この二次転写ロール５２２の位置決め時における回転方向は、位置決め溝９１のいずれの側のエッジ部かによって異なる。
【手続補正２１】
【補正対象書類名】明細書
【補正対象項目名】００４３
【補正方法】変更
【補正の内容】
【００４３】
特に、本実施の形態では、ベルトユニット２３側のベルトクリーナ５３は、図１０（ａ）に示す向きに清掃ブレード５３ａを備えている。
この清掃ブレード５３ａは中間転写ベルト２３０が矢印方向へ回転する時に回転負荷が少なくなる方向に配置されているため、清掃ブレード５３ａによる回転負荷の影響をも抑えるという観点からすれば、二次転写ロール５２２の位置決め過程において中間転写ベルト２３０に上述した向きの回転を与えるようにすればよい。
本例において、具体的には、例えば図１１（ｂ）に示すように、二次転写ロール５２２の支持軸部５２２ａを位置決めプレート９０の位置決め溝９１の下側エッジ部９１ｂ側へ当接させ、位置決め時に二次転写ロール５２２を矢印方向に回転させる方式を採用すれば、二次転写ロール５２２が中間転写ベルト２３０に当接した際に中間転写ベルト２３０を図１０（ａ）に示す矢印方向に回転させることが可能になり、これにより、二次転写ロール５２２の位置決め過程において二次転写ロール５２２への回転負荷をより少なく抑えることができる。
従って、二次転写ユニット５２のセット時における二次転写ロール５２２の負荷変動がより少なく抑えられ、負荷変動による二次転写ロール５２２の位置再現性は良好に保たれる。
【手続補正２２】
【補正対象書類名】明細書
【補正対象項目名】００４４
【補正方法】変更
【補正の内容】
【００４４】
◎実施の形態２
図１２は実施の形態２に係る画像形成装置の要部を示す説明図である。
同図において、本実施の形態に係る画像形成装置は、実施の形態１と略同様な基本的構成を有し、更に、扉ユニット７０へ作用する力関係を新たに設定したものである。尚、実施の形態１と同様な構成要素については実施の形態１と同様な符号を付してここではその詳細な説明を省略する。
すなわち、本実施の形態にあっては、図１２に示すように、扉ユニット７０に二次転写ユニット５２のユニットケース５２１が回動支持され、二次転写ユニットのセット過程でユニットケース５２１の回動支点５２４から離れた部位にセット力Ｆが与えられるものであるが、ユニットケース５２１の回動支点５２４からの反力Ｒが扉ユニット７０の回動支点７１方向へ設定されており、しかも、セット力Ｆの作用反力による扉ユニット７０の回動支点７１周りのモーメントＭが扉ユニット７０を本体ハウジング２１（図２参照）側へ回転させる向きに設定されている。
【手続補正２３】
【補正対象書類名】明細書
【補正対象項目名】００４５
【補正方法】変更
【補正の内容】
【００４５】
ここで、ユニットケース５２１の回動支点５２４からの反力Ｒを扉ユニット７０の回動支点７１方向へ設定する方法としては、ブラケット７３の長孔７４の長手方向を扉ユニット７０の回動支点７１とユニットケース５２１の回動支点５２４とを結ぶ半径の円軌跡ｍの接線方向に設定するようにすればよい。
また、本例において、二次転写ユニット５２セット時に二次転写ユニット５２に作用する力は、図１３に示すように、リトラクト機構８０からのセット力Ｆ、回動支点５２４に作用する反力Ｒ及び二次転写ロール５２２側に加わる力Ｋであり、今、各力がいずれも略平行になるように設定されているとすれば、これらの力Ｆ、Ｒ、ＫはＦ＋Ｒ＋Ｋ＝０の釣り合い関係にある。
この状態では、扉ユニット７０周りのモーメントＭを考えて見ると、扉ユニット７０に作用する外力はＦ、Ｒであり、かつ、Ｒは扉ユニット７０の回動支点７１方向に向かっているため、回動支点７１に対するセット力Ｆの作用点までのモーメントスパンをｒとすれば、Ｍ＝Ｆ・ｒという大きさになる。
【手続補正２４】
【補正対象書類名】明細書
【補正対象項目名】００４９
【補正方法】変更
【補正の内容】
【００４９】
◎実施の形態３
図１５は実施の形態３に係る画像形成装置を示す説明図である。
同図において、本実施の形態に係る画像形成装置は、実施の形態１と略同様の構成を有し、更に、メンテナンス作業性を改善するようにしたものである。
尚、実施の形態１と同様な構成要素については実施の形態１と同様な符号を付してここではその詳細な説明を省略する。
本例においては、ベルトユニット２３はベルトユニット支持機構６００を有し、このベルトユニット支持機構は、操作アーム６０１を回動操作することでベルトユニット２３を昇降させ、かつ、上昇した位置においてガイドレール６０２に沿ってベルトユニット２３を抜き差しできるようにしたものである。
尚、感光体ユニット３０は本体ハウジングの手前側から引き出し可能な感光体ユニット支持機構（図示せず）を備えている。
【手続補正２５】
【補正対象書類名】明細書
【補正対象項目名】００５５
【補正方法】変更
【補正の内容】
【００５５】
また、本発明の第二の態様によれば、転写ユニットのセット過程で、転写部材のニップ負荷等を回動支持ユニットの回動支点で受け、回動支持ユニットを画像形成装置本体側へ回動させる方向へモーメントを与えるようにしたので、回動支持ユニットの剛性を低下させた状態でも、転写部材の位置再現性を確保することができる。
このため、転写部材による転写動作を常時良好に行うことが可能になり、記録材の剥離姿勢変化にディフェクト（ジャムなど）を有効に防止し、かつ、カラー画像等の画像品質を常時良好に保つことができる。
また、転写部材のニップ負荷等を回動支持ユニットの回動支点近傍で受け、しかも、回動支持ユニットを画像形成装置本体側へ回動させる方向へモーメントを与えるか、若しくは、そのモーメントを略０にするようにすれば、回動支持ユニットの剛性低下を図りながら、転写部材の位置再現性を良好に保つことができる。
【手続補正２６】
【補正対象書類名】明細書
【補正対象項目名】図３
【補正方法】変更
【補正の内容】
【図３】  （ａ）は本実施の形態に係る画像形成装置において扉ユニットが
閉じている状態を示す説明図、（ｂ）は同画像形成装置において扉ユニットが開いた状態を示す説明図である。
【手続補正２７】
【補正対象書類名】明細書
【補正対象項目名】図１１
【補正方法】変更
【補正の内容】
【図１１】  （ａ）は二次転写ロールの位置決め時の状態の一例を示す説明
図、（ｂ）は二次転写ロールの位置決め時の状態の他の例を示す説明図、（ｃ）は清掃ブラシのブラシ体の向きについての説明図、（ｄ）は清掃ブラシに代えて清掃ブレードを用いる場合のレイアウト例を示す説明図である。
【手続補正２８】
【補正対象書類名】図面
【補正対象項目名】図１
【補正方法】変更
【補正の内容】
【図１】
2002148968.tif 000001
【手続補正２９】
【補正対象書類名】図面
【補正対象項目名】図４
【補正方法】変更
【補正の内容】
【図４】
2002148968.tif 000002